(57)【特許請求の範囲】
【請求項１】
仰向けになった人体の腹部に前記人体を挟んで重力方向上方に装着され、重力により人体の腹部を加圧するとともに呼吸時の腹部の運動により重力方向の上方または下方へ昇降する腹部筋肉運動器であって、
平板状に形成され重力により腹部を加圧するものであり、内側面には多数の突起が設けられた弾性プレートと、
前記弾性プレートの外側面に固定されて腹部に加圧力を加えるウエートと、
を備えることを特徴とする腹部筋肉運動器。
【請求項２】
前記弾性プレートの外側面には一つ以上の雄ネジが固定され、前記ウエートは前記雄ネジに螺合する一つ以上の錘であることを特徴とする請求項１に記載の腹部筋肉運動器。
【請求項３】
前記ウエートは弾性プレートの外側面に固定されて内部空間を提供するウエートホルダと、前記内部空間に満たされる重量物とよりなり、前記重量物は金属または鉱物を含むことを特徴とする請求項１に記載の腹部筋肉運動器。
【請求項４】
前記突起は遠赤外線を放出する鉱物であって弾性プレートの内側面に固定され、前記弾性プレートの下側部には腹部の体温を保存する保温板がさらに備わり、前記保温板の内部には多数の永久磁石が配列されていることを特徴とする請求項１に記載の腹部筋肉運動器。
【請求項５】
前記弾性プレートと保温板間には外部の電気を供給されて発熱し、腹部に熱を提供する発熱板がさらに備わったことを特徴とする請求項４に記載の腹部筋肉運動器。
【請求項６】
前記弾性プレートの両端部には取っ手がそれぞれ備わっていることを特徴とする請求項１に記載の腹部筋肉運動器。
【発明の詳細な説明】
【０００１】
（技術分野）
本発明は腹部筋肉運動器に係り、詳細には横になった状態で腹部上に重いウエートを載せ、腹部の力だけでウエートを昇降させて腹筋を運動させて腹部肥満を解消する腹部筋肉運動器に関する。
【０００２】
（技術の背景）
不規則な食事と過労、運動不足などを含むさまざまな理由で現代人は各種成人病に苦しめられている。このような成人病の大部分は肥満によるために、肥満をなくすべくさまざまな運動や運動器具などが提案されている。
【０００３】
よく知らされたように、肥満がまず第一に始まる部位は腹部であるが、腹の贅肉をとるためのほとんどの運動は腹部筋肉自体を鍛練するよりは、他の部位の筋肉を鍛練して腹部筋肉を強化する間接運動方式である。このような運動は長い間忍耐して着実に続けねばならず、そうして始めて微々たる効果が現れるようになり、さらにすでに腹の出てきた人は一般人に比べて運動するのが一層困難であるので、ほとんどの人は運動を途中であきらめてしまう。結局、一度始めた運動を中途放棄する主な理由は、運動自体が大変であって体を動かすことが面倒なためであるが、そのような負担なく簡単であって気楽な姿勢で腹筋を直接的に運動させる運動器はまだ提案されていない。
【０００４】
（発明の開示）
本発明は前記問題点を解決するために創出されたものであり、気楽に横になったまま腹部上に適当な重みのウエートを載せ、腹部筋肉の力だけでウエートを昇降させることにより、腹部筋肉周辺にある脂肪層が自然に燃焼してなくなるようにして短時間に腹部の肥満を解決でき、脂肪層の燃焼と共に大腸の運動を活発にして腸の内部及び臓間の脂肪もあわせて除去でき、便泌も治療できるように構成された腹部筋肉運動器を提供するところに目的がある。
【０００５】
前記目的を達成するために本発明は、平板の形をして重力により腹部を加圧するものであって内側面には多数の突起が設けられた弾性プレートと、前記弾性プレートの外側面に固定されて腹部に加圧力を加えるウエートとを含むことを特徴とする。
【０００６】
また、前記弾性プレートの突起が設けられている内側面は全体的に膨らんだ形をしていることを特徴とする。
あわせて、前記弾性プレートの外側面には一つ以上の雄ネジが固定され、前記ウエートは前記雄ネジに螺合する一つ以上の錘であることを特徴とする。
【０００７】
また、前記ウエートは弾性プレートの外側面に固定されて内部空間を提供するウエートホルダと、前記内部空間に満たされる重量物とよりなり、前記重量物は金属または鉱物を含むことを特徴とする。
また、前記突起は遠赤外線を放出する鉱物であって弾性プレートの内側面に固定され、前記弾性プレートの下側部には腹部の体温を保存する保温板がさらに備わり、前記保温板の内部には多数の永久磁石が配列されていることを特徴とする。
【０００８】
また、前記弾性プレートと保温板間には外部の電気を供給されて発熱し、腹部に熱を提供する発熱板がさらに備わったことを特徴とする。
また、前記弾性プレートの両端部には取っ手がそれぞれ備わっていることを特徴とする。
【０００９】
（発明の実施のための最良の形態）
以下、本発明を添付された図面を参照してさらに詳細に説明する。
図１は本発明の第１実施形態による腹部筋肉運動器の構成を説明するために示した分離斜視図である。
【００１０】
図面を参照すれば、本実施形態による腹部筋肉運動器は、横になっている使用者の腹部上に載せ、重力により腹部を押さえる弾性プレート１１と、前記弾性プレート１１の上側面に設けられる複数の錘１３と、前記弾性プレート１１の下側面に備わる発熱板１５及び保温板４５とを含んで構成される。前記下側面は弾性プレート１１を腹部に位置させた時に腹部に向かう面である。
【００１１】
前記弾性プレート１１は中央部の幅が両端部の幅より広く、ほぼ十字形の平面形をしている。また、上面は平らであって下面は図２に示したように全体的に膨らんだ形をしている。前記上側面は錘１３が安定的に位置されうるように平坦になされ、内側面は腹部をより深く加圧するために膨らんだ形をしている。
【００１２】
前記弾性プレート１１はプラスチックやアクリル樹脂またはカーボン布などで製作され、縁部の厚みは５ｍｍから２０ｍｍ程度にするのが望ましい。前記弾性プレート１１をなす素材が弾性が内在して固い物性を有し、また厚みを有しているので、弾性プレートは外力により湾曲されるだけであって局部的ベンディングは発生しない。
【００１３】
一方、前記弾性プレート１１の平面形は、十字形ではない直四角形や楕円形または多角形で製作できることはもちろんである。
前記弾性プレート１１の両端には取っ手５０が備わる。前記取っ手５０は弾性プレート１１を使用者の腹部上で水平に適切に位置させ、また運搬を容易にするために設けられる。
【００１４】
前記弾性プレート１１の外側面には三つの雄ネジ１９が備わっている。前記雄ネジ１９は弾性プレート１１の上面に垂直に強固に固定され、錘１３の底面に形成したナット（図示せず）と結合する。前記雄ネジ１９は本実施形態では三つ設けられているが、実施形態により設置個数は可変でありうることはもちろんである。
【００１５】
あわせて、前記錘１３は必ずそれぞれの雄ネジ１９に全て結合させる必要はななく、選択された個数だけ選択された位置に結合させる。従って、使用者の運動能力にあわせて適用する錘１３の個数を調節できる。
前記各錘１３の上面にも雄ネジ１９が設けられる。前記雄ネジ１９は弾性プレート１１に設けられている雄ネジ１９と同じ形をし、一つの錘の上に他の錘を積層できるようさらに重くして腹部を加圧できるようにする。
【００１６】
一方、前記弾性プレート１１の下側面には発熱板１５と保温板４５とが積層される。前記発熱板１５は外部の電気を供給されて熱を発生する公知の発熱手段であり、弾性プレート１１を腹部に載せて運動を開始する時に熱を発生し、腹部の皮下層及び内蔵に熱を加えられる。前記発熱板１５の温度は温度調節器５２により適切に調節され、必要に応じて加熱させないこともできる。また、ひいては実施形態により発熱板１５を全く設置せずに後述する保温板４５だけを適用することもできる。
【００１７】
前記発熱板１５には多数の穴３５が貫通形成されている。前記穴３５は弾性プレートの下側面に形成されている突起（図２の１７）を通過させて突起（図２の１７）を腹部の皮膚に接するようにする穴である。
前記発熱板１５の下側部に備わる保温板４５は革や繊維類で製作され、発熱板１５の底面に密着する。また、前記のように発熱板１５を適用しない場合には弾性プレート１１の下面に直接設けられる。前記保温板４５にも突起（図２の１７）を通過させるように多数の穴５４が形成されている。
【００１８】
前記保温板４５の内部には多数の永久磁石５６が備わっている。前記永久磁石はディスクの形をとる磁石であって保温部材４５内で広く配列され、腹部の皮下層に磁場を浸透させて血液の循環を助長する。また、前記保温板４５は弾性プレート１１により押さえられる腹部を保温して腹部から発生する熱が直ちに外部に抜け出ることを防止することにより腹部から汗を続けて生じさせる機能を果たし、あわせて冷たい弾性プレート１１の冷気が腹部に伝わらないようにする機能を兼ねる。
前記保温板４５は人体の皮膚と似た物理的特性を有する材質を使用するのが望ましく、実施形態により人造または天然革類を使用できる。
【００１９】
図２は本発明の第１実施形態による腹部筋肉運動器において弾性プレートの内側面の形を説明するために示した斜視図である。
図面を参照すれば、弾性プレート１１の内側面は全体的に膨らんだ形をし、表面には多数の突起１７が一体に形成されていることが分かる。前記突起１７は弾性プレート１１が腹部を加圧する時に腹部の脂肪層及び経絡を刺激して気と血液との流れを改善するものであり、端部は丸く仕上げ処理されている。一方、弾性プレート１１の内側面が膨らんで形成されているので、前記のように突起１７が腹部を一層深く加圧できる。
【００２０】
図３は本発明の第１実施形態による腹部筋肉運動器の積層構造を示した断面図である。
前記の図面符号と同じ図面符号は同じ機能の同じ部材を指す。
図示されたように、弾性プレート１１の上層部には多数の錘１３が固定されて弾性プレート１１に重みを提供する。特に、錘１３の上部に他の錘を固定できるので、使用者の必要にあわせて腹部に加えられる加圧力を適切に調節できる。
【００２１】
前記弾性プレート１１の下側部には発熱板１５が備わっており、前記発熱板１５の下面には保温板４５が密着している。特に、前記保温板４５内には多数の永久磁石５６が設けられているので腹部に磁気力を提供できる。
あわせて、前記弾性プレート１１の突起１７は発熱板１５及び保温板４５の穴３５、５４を貫通して下部に突出して皮膚と直接接触する。前記保温板４５に対する突起１７の突出高さは３ｍｍから１０ｍｍ程度とできる。
【００２２】
図４は本発明の第１実施形態による腹部筋肉運動器において弾性プレートの他の例を示した図面である。
図面を参照すれば、弾性プレート５８の下側面に備わっている突起１８は弾性プレート５８と材質が異なる別途の突起部材７２を弾性プレート５８の下側面に打込んでなった突起である。前記突起部材７２は遠赤外線を放出する鉱物であり、ゲルマニウムや玉石などを含む公知のさまざまな種類の鉱物よりなる。
【００２３】
公知の事実のように遠赤外線は人間の気力を回復させて慢性疲労をなくす効能を有するものであり、腹部筋肉が運動する間に遠赤外線を腹部の皮下層に伝えさせて運動の効果を倍加できる。
あわせて、前記弾性プレート５８は図３の弾性プレート１１と同じ材質よりなり、同様に上層部には錘が設けられて下側部には発熱板と保温板とが備わることはもちろんである。
【００２４】
図５は本発明の第２実施形態による腹部筋肉運動器の構成を説明するために示した切除斜視図である。
前記の図面符号と同じ図面符号は同じ機能の同じ部材を指す。
図面を参照すれば、本実施形態による腹部筋肉運動器は上面と下面とが平行した平板型の弾性プレート６０と、前記弾性プレート６０の上側面に備わるウエートホルダ３９と、前記ウエートホルダ３９内に内蔵される重量物４３と、前記弾性プレート６０の底面に設けられる発熱板６２及び保温板６４を含む。
【００２５】
前記弾性プレート６０は第１実施形態と同様に中央部の幅が両端部の幅より広く、使用者の腹部を広く覆えるように形成される。また、下側面は第１実施形態とは異なり平らになっている。前記弾性プレート６０の厚みは５ｍｍから２０ｍｍに形成するのが望ましい。あわせて、前記弾性プレート６０の材質は第１実施形態での弾性プレート１１と同じである。
【００２６】
前記弾性プレート６０の両端部には取っ手５０が固定されており、底面には多数の突起（図６の１７）が形成されている。前記突起１７は腹部の脂肪層及び経絡を刺激するためのものであって端部が丸く仕上げ処理されている。
【００２７】
前記弾性プレート６０の下部に備わる発熱板６２は第１実施形態の発熱板１５と同じ機能を果たすものであり、前記突起１７を通過させるように多数の穴３５が形成されている。あわせて、保温板６４にも多数の穴５４が形成されて前記突起１７を通過させる。実施形態により前記発熱板６２を設けないこともあるが、この時には前記保温板６４が弾性プレート６０、７０の底面に直接接する。
【００２８】
一方、前記弾性プレート６０の上面に備わるウエートホルダ３９はプラスチック類やアクリル樹脂またはカーボン布で製作され、隔壁４７により三部分に分けられる内部空間を提供する。前記内部空間には重い重量物４３を内蔵させて第１実施形態の錘（図１の１３）の役割を果たさせる。
【００２９】
前記内部空間は外部に対して密封され、内部空間に設けられている重量物４３は外部に抜け出ない。このように重量物４３をウエートホルダ３９内に設置することにより外部から重量物が見えないようにして外見をよくできる。
【００３０】
前記重量物４３は金属または鉱物などの重みのある材料を使用する。鉱物としてはゲルマニウムや玉石、麦飯石、黄土、砂などを使用できる。また、前記のように内部空間が外部に対して密封されるので、前記重量物は一つの塊りでなく粉砕された塊りまたは粉状態でもよい。
あわせて、実施形態により前記内部空間の形成個数は異ならせられることはもちろんである。
【００３１】
図６は本発明の第２実施形態による腹部筋肉運動器の断面図である。
図面を参照すれば、前記弾性プレート６０の下側面に多数の突起１７が形成されており、前記突起１７は発熱板６２及び保温板６４の穴３５、５４を貫通して下部に突出していることが分かる。前記保温板６４の底面に対する突起１７の突出長さは３ｍｍから１０ｍｍ程度に構成するのが望ましい。
【００３２】
あわせて、保温板６４内に備わっている永久磁石５６は各突起１７間に位置して腹部の皮下層に磁気力を提供する。また、前記弾性プレート６０の上層部に備わっているウエートホルダ３９は内部に重量物４３を収容して弾性プレート６０を下部に押さえる。
【００３３】
図７は本発明の第２実施形態による腹部筋肉運動器において弾性プレートの他の例を示した断面図である。
図示されたように、弾性プレート７０の下側面に備わった突起１８は弾性プレート７０と一体に形成されずに、別途の突起部材７２を弾性プレート７０の内側面に打ち込んで構成した突起である。前記突起部材７２は遠赤外線を放出する鉱物であり、ゲルマニウムや玉石などを含む公知のさまざまな種類の鉱物を使用できる。
【００３４】
あわせて、図面では弾性プレート７０だけ図示されているが、前記弾性プレート７０の上層部にウエートホルダ３９及び重量物４３が備わり、下側部には発熱板と保温板とが備わるのはもちろんである。
【００３５】
上記の通りに構成された腹部筋肉運動器を使用するために、弾性プレート６０、７０を使用者の腹部に載せて置けば、重量物４３が腹部を押さえて永久磁石５６と突起１８とから磁気力及び遠赤外線が発生して皮下層の血行を改善して経絡を刺激する。
【００３６】
結局、前記のようになる本発明の腹部筋肉運動器において、使用者が腹部上に運動器を載せておいてその場に横になって呼吸をすれば、腹部筋肉は重量物の重みを押し上げて皮下脂肪層が燃焼する。この時に弾性プレート下部に備わっている保温板により腹部から発生する熱は外部に逃げずに続けてとどまり、運動を持続する間汗が続けて出てあたかもサウナの効果を提供する。
また、必要時には発熱板から熱を発生させて腹部をさらに熱く加熱もできる。
【００３７】
図８は前記第１実施形態の弾性プレート１１に第２実施形態のウエートホルダ３９を適用して構成した様子を示した図面である。
図示されたように、下側面が膨らんで形成された弾性プレート１１の上面に錘１３の代わりにウエートホルダ３９を固定させ、弾性プレート１１に腹部を加圧さすべく構成されている。これと異なり、第２実施形態の弾性プレート６０に第１実施形態の錘１３を適用できることはもちろんである。これは弾性プレートに腹部を加圧させる限りにおいては弾性プレートを押さえるウエートの種類はさまざまに変形できることを意味する。
【００３８】
本出願人の実験により本発明の腹部筋肉運動器の効果が実際に立証されたが、その結果値を表で示せば下記のようである。
【００３９】
【表１】
0003750997.tif 000002
【００４０】
前記腹部肥満率はウエストのサイズをヒップのサイズで割った比率であり、米国の場合に前記比率を男性は０．９５以上、女性は０．８以上を腹部肥満と判定し、ヨーロッパの場合に男性は０．９以上女性は０．８以上を腹部肥満と判定する。
【００４１】
韓国では一定の基準があるわけではないが、概して男性の場合に１．０以上、女性は０．９以上を腹部肥満と判定している。
前記表１から分かるように、本発明の腹部筋肉運動器を使用した１週目にすでに腹部肥満率が減少し始まるのが分かり、４週目には正常に戻った人もいることが観察できた。
【００４２】
図面と明細書とは単に本発明の例示的なものであり、それは単に本発明を説明するための目的で使われたものであって意味限定や特許請求の範囲に記載された本発明の範囲を制限するために使われたものではない。
【００４３】
（産業上の利用可能性）
上記の通りになった本発明の腹部筋肉運動器は、ウエートが備わった運動器を腹部上に載せた状態で気楽に横になって呼吸をすることにより、腹部筋肉をしてウエートを反復的に押し上げさせて腹部筋肉周辺にある脂肪層が自然に燃焼してなくなるようにすることにより、特別な努力なしに短時間に腹部の肥満を解決できる。また、熱を発生する発熱板及び永久磁石を設けて運動中に腹部に熱を加え、大腸の運動を活発にして血液循環を促進して腸内の脂肪も除去でき、腸の機能を活性化して消化吸収がよくなることはもとより、便泌までも治療できる。
【図面の簡単な説明】
【図１】  本発明の第１実施形態による腹部筋肉運動器の構成を説明するために示した斜視図である。
【図２】  本発明の第１実施形態による腹部筋肉運動器の弾性プレートの内側面を示した斜視図である。
【図３】  本発明の第１実施形態による腹部筋肉運動器の結合された様子を例示した図面である。
【図４】  本発明の第１実施形態による腹部筋肉運動器の弾性プレートの他の例を説明するために示した断面図である。
【図５】  本発明の第２実施形態による腹部筋肉運動器を示した切除分離斜視図である。
【図６】  本発明の第２実施形態による腹部筋肉運動器の構成を説明するために示した断面図である。
【図７】  本発明の第２実施形態による腹部筋肉運動器での弾性プレートの他の例を示した図面である。
【図８】  本発明の第１実施形態と第２実施形態とを組合わせて構成した例を示した図面である。
【符号の説明】
１１    弾性プレート
１３    錘
１５    発熱板
１９    雄ネジ
３５、５４    穴
４５    保温板
５２    温度調節器
５６    永久磁石
【図１】
0003750997.tif 000003
【図２】
0003750997.tif 000004
【図３】
0003750997.tif 000005
【図４】
0003750997.tif 000006
【図５】
0003750997.tif 000007
【図６】
0003750997.tif 000008
【図７】
0003750997.tif 000009
【図８】
0003750997.tif 000010